(57)【要約】【課題】  ワーキング経路及びプロテクション経路の双方を有するソネットネットワークに関し、データ伝送に通信経路双方を利用することで、コスト及び帯域の利用性を更に効率化させるシステムを提供すること。【解決手段】  同期光ネットワーク／同期ディジタルハイアラーキでデータを通信するシステムは、光回線終端装置より成り、その光回線終端装置は、同期光ネットワーク又は同期ディジタルハイアラーキの複数の通信経路とインターフェースをとり、及び同期光ネットワーク又は同期ディジタルハイアラーキの複数の通信経路の各々で異なるデータを通信する。【選択図】  図１
2005236960.tif 000002
【特許請求の範囲】
【請求項１】
同期光ネットワーク又は同期ディジタルハイアラーキでデータを通信し、光回線終端装置より成るデータ通信システムであって、前記光回線終端装置は：
同期光ネットワーク又は同期ディジタルハイアラーキの複数の通信経路とインターフェースをとり、及び
同期光ネットワーク又は同期ディジタルハイアラーキの複数の通信経路の各々で異なるデータを通信する
ことを特徴とするデータ通信システム。
【請求項２】
同期光ネットワーク又は同期ディジタルハイアラーキの複数の通信経路が、ワーキング経路及びプロテクション経路より成る
ことを特徴とする請求項１記載のデータ通信システム。
【請求項３】
前記光回線終端装置が、更に、
同期光ネットワーク又は同期ディジタルハイアラーキの複数の通信経路の１つの故障を検出し、及び
同期光ネットワーク又は同期ディジタルハイアラーキの良好な通信経路の各々でデータを通信する
ことを特徴とする請求項１記載のデータ通信システム。
【請求項４】
同期光ネットワーク又は同期ディジタルハイアラーキの複数の通信経路が、ワーキング経路及びプロテクション経路より成る
ことを特徴とする請求項３記載のデータ通信システム。
【請求項５】
前記光回線終端装置が、更に、
同期光ネットワーク又は同期ディジタルハイアラーキの複数の通信経路の内の故障していたものが復旧したことを検出し、及び
同期光ネットワーク又は同期ディジタルハイアラーキの複数の通信経路の各々で異なるデータを通信する
ことを特徴とする請求項３記載のデータ通信システム。
【発明の詳細な説明】
【技術分野】
【０００１】
本発明は、経路の不具合時に劣化した動作状態の下で、ワーキングトラフィック用のソネット（ＳＯＮＥＴ）ネットワークでの保護帯域を利用する機能を提供するシステムに関連する。
【背景技術】
【０００２】
光ネットワークは、通信業界における情報伝送の標準技術になりつつある。多数の様々な光ネットワーク規格が規定され、その各々は様々なユーザに対して長所及び短所を有する。同期光ネットワーク（ＳＯＮＥＴ）は、光通信の１つの規格である。ソネットは、少なくとも次の２０〜３０年の間に世界的な通信の伝送インフラストラクチャを提供することを期待されている。構成の柔軟性の増進及びソネットの帯域利用性の増進は、旧式の通信システムを超えるかなりの利点を与え、その利点は例えば装置条件を削減すること、ネットワークの信頼性を増やすこと、多様なフォーマットで信号を伝送できること、異なるベンダにより製造された製品を接続可能にする一群の汎用的規格、及び様々な伝送レートを有する将来的なアプリケーションを収容できる柔軟なアーキテクチャ等である。ソネットは、長距離の、大都市圏の及びアクセス伝送のアプリケーションにしばしば使用される。
【０００３】
ソネットネットワークの１つの一般的特徴は、どの２地点間の間にも、２つの独立した光ファイバ通信経路が用意されることである。一方のファイバ通信経路はワーキング経路として知られ、他方のファイバ経路は保護経路又はプロテクション経路として知られる。信号は、多重化回路を用いてワーキング及びプロテクション経路に入力され及びそこから出力され、多重化回路は異なるネットワーク信号及びソネット信号の間のインターフェースを与える。この形態の利点はその生存性（ｓｕｒｖｉｖａｂｉｌｉｔｙ）にあり；万一ファイバ経路が切断された場合に、マルチプレクサは、影響を受けたサービスを、妨害されない別の経路で与える知性を有する。例えば、信号がワーキング経路で送信され、そのワーキング経路が切断された場合に、その信号は、サービスの損失無くプロテクション経路で送信される。
【発明の開示】
【発明が解決しようとする課題】
【０００４】
ワーキング経路及びプロテクション経路の双方を有するソネットネットワークに関して生じる問題は、その経路の使用される帯域が根本的に浪費されてしまうことである。ソネットネットワークのいくつかのアプリケーションでは、サービス中断に対するプロテクションに備え、消費される帯域を有する経路をサポートし、出費すること及び複雑にすることの価値があるかもしれない。しかしながら、多くのアプリケーションでは、更にコスト及び帯域を効率化する手法が望まれている。
【課題を解決するための手段】
【０００５】
本発明はシステムを提供し、そのシステムは、データを搬送する双方の通信経路を利用することで、ワーキング経路及びプロテクション経路の双方を有するソネットネットワークに関するコスト及び帯域の更に効果的な利用法を提供する。これは、通常的には未使用の通信経路に費やされる帯域を利用することで、通常のネットワーク容量の増進性を与える。仮に一方の通信経路が故障した場合に、他の通信経路は５０％の帯域でネットワークトラフィックを更に搬送でき、５０％の保護されたモードを与え、有利なことに、特にデータサービスに適用される。
【０００６】
本発明の一態様による、同期光ネットワーク又は同期ディジタルハイアラーキでデータを通信するシステムは、光回線終端装置より成り、前記光回線終端装置は、同期光ネットワーク又は同期ディジタルハイアラーキの複数の通信経路とインターフェースをとり、及び同期光ネットワーク又は同期ディジタルハイアラーキの複数の通信経路の各々で異なるデータを通信する。同期光ネットワーク又は同期ディジタルハイアラーキの複数の通信経路は、ワーキング経路及びプロテクション経路から構成されてもよい。前記異なるデータは、仮想連結を用いて、前記ワーキング経路及び前記プロテクション経路で通信されてもよい。
【０００７】
本発明の一態様では、前記光回線終端装置は、更に、同期光ネットワーク又は同期ディジタルハイアラーキの複数の通信経路の１つの故障を検出し、及び同期光ネットワーク又は同期ディジタルハイアラーキの良好な通信経路の各々でデータを通信する。同期光ネットワーク又は同期ディジタルハイアラーキの複数の通信経路は、ワーキング経路及びプロテクション経路から構成されてもよい。前記データは、仮想連結を用いないで、良好な通信経路で通信されてもよい。
【０００８】
本発明の一態様では、前記光回線終端装置が、更に、同期光ネットワーク又は同期ディジタルハイアラーキの複数の通信経路の内の故障していたものが復旧したことを検出し、及び同期光ネットワーク又は同期ディジタルハイアラーキの複数の通信経路の各々で異なるデータを通信する。同期光ネットワーク又は同期ディジタルハイアラーキの複数の通信経路は、ワーキング経路及びプロテクション経路から構成されてもよい。前記異なるデータは、仮想連結を用いて、前記ワーキング経路及び前記プロテクション経路で通信されてもよい。
【発明を実施するための最良の形態】
【０００９】
構造及び動作の双方に関する本発明の詳細は、添付図面を参照することで最良に理解することができ、図面では同様の参照番号及び名称は同様の要素を示す。
【００１０】
本発明は、データを搬送するＳＯＮＥＴ又はＳＤＨネットワークのワーキング経路及びプロテクション経路の双方を利用する機能を与え、これはソネットネットワークに関するコスト及び帯域の更に効果的な利用法を提供する。これは、通常的には未使用の通信経路に費やされる帯域を利用することで、通常のネットワーク容量の増進性を与える。仮に一方の通信経路が故障した場合に、他方の通信経路は５０％の帯域でネットワークトラフィックを更に搬送でき、５０％の保護されたモードを与え、有利なことに、特にデータサービスに適用される。
【００１１】
例えば、通常の動作モードで、ワーキング及びプロテクションの経路双方が利用可能である場合に、ネットワークフレームは、双方の通信経路で一度に１バイト送信される。この形態は標準的な仮想連結法であり、同じファイバ通信経路での２つのソネットチャネルを１つに結合するのに通常使用される。しかしながら、本発明は、異なるファイバ通信経路を利用する。通信経路が故障した場合に、その旨がＡＩＳ又はＬＯＳを通じて受信端に通知される。その受信機はＬＣＡＳプロトコルを用いて送信者にその事実を通知する。送信者はもはや仮想連結を使用せず、残りの動作リンクでのみフレームを送信する。ここで、データレートはかつての半分であり、リンクが修復されるまでその経路のままである。
【００１２】
本発明の一実施例に関する一例として、通常の場合に１００Ｍビットのイーサーネット（登録商標）サービスがソネットＳＴＳ１にマッピングされるならば、それは近似的に５０Ｍビット／秒又は半分の回線レートになる。しかしながら、本発明によれば、それは２＊ＳＴＳ１（各方向に１つ）又は約１００Ｍビット／秒の完全な回線レートが得られる。ファイバの１つが故障したならば、帯域は１ＳＴＳ１又は約５０Ｍビット／秒になるであろう。従って、故障モード時でさえも、容量は、「通常の」ＳＴＳ１形式のマッピングと同程度に良好である。しかしながら、双方の通信経路が利用可能な場合に、２倍の帯域が用意される。典型的なシステムでは、１つの通信経路は１年のうち僅か数分間しか故障せず、残りの時間の間、本発明は標準的なソネット法によるものの２倍の帯域を提供する。更に、双方の通信経路の利用度が平均的に高い場合でさえ、一方が故障したときに、４時間に至るまで修復に費やすことができる。従って、本発明の他の利点は、その期間の間にデータサービスが（品質の落ちた状態で）利用可能のままにできることである。
【００１３】
同期光ネットワーク（ＳＯＮＥＴ）は光ファイバ伝送システムを接続する規格である。ソネットは１９８０年代半ばにベルコア（Ｂｅｌｌｃｏｒｅ）によって提案され、現在はＡＮＳＩ規格である。ソネットはＯＳＩ７階層モデルの物理層におけるインターフェース規格を規定する。この規格は、異なるレートのデータストリームを多重化可能にするインターフェースレートの階層を定める。ソネットは、５１．８Ｍｂｐｓ（Ｔ−３回線とほぼ同様）乃至２．４８Ｇｂｐｓの光キャリア（ＯＣ）レベルを設定する。ソネットを実現することで、世界中の通信キャリアは、既存のディジタルキャリア及び光ファイバシステムを相互に接続できる。
【００１４】
同期ディジタルハイアラーキ（ＳＤＨ）はソネットの国際的なものであり、国際通信連盟（ＩＴＵ）により標準化された。ＳＤＨは光ファイバケーブル上での同期データ伝送に関する国際規格である。ＳＤＨは１５５．５２Ｍｂｐｓにおける標準的な伝送レートを定め、それは電気レベルでのＳＴＳ−３及びＳＤＨのＳＴＭ−１として言及される。ＳＴＭ−１はソネットの光キャリア（ＯＣ）レベル３と等価である。
【００１５】
本願では、本発明に関する多くの実施例がソネットを組み込むように説明される。便宜上、ソネットの実施例しか明示的に説明されないが、当業者は、そのような総ての実施例がＳＤＨを組み込んでもよいことを認識するであろうし、そのような実施例にＳＤＨをどのように組み込むかを理解するであろう。従って、本願でソネットが使用される場合はどこでも、ソネット又はＳＤＨの何れかを使用することが意図され、本発明はソネット及びＳＤＨ双方を包含するよう理解されるべきである。
【００１６】
図１には、本発明が実施されてもよい例示的なソネットネットワーク１００が示されている。ソネットネットワーク１００は、ワーキング経路１０２及びプロテクション経路１０４のような複数の通信経路を含む。典型的には、通信経路１０２，１０４は光通信経路であり、特に光ファイバ通信経路であり、それらは通信経路上でデータトラフィックを搬送するのに光信号を使用する。経路１０２，１０４は、光回線終端サービスユニット（ＯＬＴＳＵ）１０６Ａ−Ｂのような複数の信号源に接続される。ＯＬＴはソネットマルチプレクサ及びスイッチであり、ＯＬＴＳＵ１０６Ａ−Ｂに接続される他のネットワークと、ソネットネットワーク１００のワーキング１０２及びプロテクション１０４の経路との間のインターフェースを提供する。例えば、ＯＬＴＳＵ１０６Ａ−Ｂは、ソネットネットワーク１００のワーキング１０２及びプロテクション１０４の経路を、他のソネットネットワークに、他の広域ネットワーク（ＷＡＮ）に、ローカルエリアネットワーク（ＬＡＮ）等に接続してもよい。
【００１７】
図２には、図１に示されるＯＬＴＳＵ１０６Ａ−Ｂに類似する例示的なＯＬＴＳＵ２００が詳細に示されている。図２に示されるように、ＯＬＴＳＵ２００は、ＯＬＴＳＵ−ワーキング２０２と、ＯＬＴＳＵ−プロテクション２０４と、管理及び制御ユニット（ＭＣＵ）２０６と、複数の回線ユニット（ＬＵ）２０８Ａ−Ｘと、インターフェース２１０とを含む。ソネットネットワークインターフェース２１６Ｐも示され、これは、ＯＬＴＳＵ−プロテクション２０４とソネットネットワーク１００のプロテクション経路１０４との間のインターフェースを提供し、またソネットネットワークインターフェース２０６Ｗも示され、これはＯＬＴＳＵ−ワーキング２０２とソネットネットワーク１００のワーキング経路１０２との間のインターフェースを提供する。ソネットネットワーク１００のワーキング１０２及びプロテクション１０４の経路には他のＯＬＴＳＵ２０１も接続され、それは、全ソネットネットワークの内の他の部分に対して同様な機能を実行する。
【００１８】
ＯＬＴＳＵ２００は、ソネットネットワーク１００のワーキング及びプロテクションの側のインターフェースを提供する。特に、ＯＬＴＳＵ−プロテクション２０４は、ソネットネットワーク１００のプロテクション側１０４とのインターフェースを提供し、ＯＬＴＳＵ−ワーキング２０２は、ソネットネットワーク１００のワーキング側１０２とのインターフェースを提供する。ＭＣＵ２０６は、ローカルクラフトポートとのインターフェース、ソネットディジタル制御チャネル（ＤＣＣ）及び／又はその他により、ＯＬＴＳＵ２００及び関連するシステムに管理機能を提供する。提供される機能には、例えば、コンフィギュレーション設定内容をダウンロードすること、カウント、アラーム及び停止を監視するソネットパフォーマンス管理、プロテクションスイッチングを制御すること等が含まれる。ＬＵ２０８Ａ−Ｘの各々は、正確なネットワーククロックにアクセスする時間制御機能を提供し、ソネットフレームパルス基準を提供する。
【００１９】
ＯＬＴインターフェース２１０は、ＯＬＴＳＵ２００に接続された他のネットワークと、ソネットネットワーク１００のワーキング１０２及びプロテクション１０４の経路との間のインターフェースを提供する。例えば、ＯＬＴＳＵ１０６Ａ−Ｂは、ソネットネットワーク１００のワーキング１０２及びプロテクション１０４の経路を、他のソネットネットワークに、他の広域ネットワーク（ＷＡＮ）に、ローカルエリアネットワーク（ＬＡＮ）等に接続してもよい。
【００２０】
図５を参照するに、本発明の動作プロセス５００が示される。これは図３及び図４に関連して最良に示され、図３はソネットネットワーク１００の保護帯域を利用するための、ソネットネットワーク１００及びＯＬＴＳＵ２００の動作に関するデータフロー図であり、図４は通信経路不具合時におけるソネットネットワーク１００及びＯＬＴＳＵ２００の動作に関するデータフロー図である。
【００２１】
ステップ５０２では、通常の動作モードにて、図３に示されるように、ＯＬＴインターフェース２１０がネットワーク１０８とデータを通信している（受信及び／又は送信している。）。ネットワーク１０８と通信されるデータの一部であるデータ３０２は、ＯＬＴＳＵ−ワーキング２０２で通信され、ネットワーク１０８と通信される他の別のデータ部分であるデータ３０４は、ＯＬＴＳＵ−プロテクション２０４で通信される。データ３０２は、ソネットネットワーク１００のワーキング経路１０２上で、ソネットネットワークインターフェース２１６Ｗを通じてＯＬＴＳＵ−ワーキング２０２により通信される。同様に、データ３０４は、ソネットネットワーク１００のプロテクション経路１０４上で、ソネットネットワークインターフェース２１６Ｐを通じてＯＬＴＳＵ−プロテクション２０４により通信される。データは標準的な仮想連結（ＶＣＡＴ：ｖｉｒｔｕａｌ  ｃｏｎｃａｔｅｎａｔｉｏｎ）法を用いて通信され、ＶＣＡＴ法は、同一のファイバ通信経路上の２つのソネットチャネルを１つのデータストリームに合成するのに従来使用されている。しかしながら、本発明は、２つのファイバ通信経路上でデータを通信するためにＶＣＡＴを利用する。
【００２２】
データは、ソネットネットワーク１００の各通信経路上で、通信経路各々の全帯域で通信可能である。例えば、データ３０２は、ソネットネットワーク１００のワーキング経路１０２上で、ワーキング経路１０２の全帯域で通信可能であり、データ３０４は、ソネットネットワーク１００のプロテクション経路１０４上で、プロテクション経路１０４の全帯域で通信可能である。
【００２３】
本発明は、従来のネットワークを上回るかなりの利点を提供し、従来では、ソネットネットワークのワーキング及びプロテクション経路双方で同じデータが通信される。本発明では、通信経路の各々は、完全な経路帯域で異なるデータを搬送する。従って、本発明により提供される帯域の合計は、従来のネットワークで与えられるものの２倍に匹敵する。
【００２４】
ステップ５０４では、ソネットネットワーク１００の通信経路の一方における故障が検出される。通信経路の故障は、ＡＩＳ又はＬＯＳを通じて受信端に通知される。受信側は、ＬＣＡＳプロトコルを用いてその事実を送信側に通知する。送信側は、もはや仮想連結を使用せず、残りの動作リンクでしかフレームを送信しない。ここでのデータレートはかつての半分になり、リンクが修復されるまでその経路のままである。
【００２５】
特に、図４を参照するに、ステップ５０６では、ＯＬＴインターフェース２１０はネットワーク１０８とデータを通信（受信及び／又は送信）する。この場合において、ソネットネットワーク１００のワーキング経路１０２が故障している。ネットワーク１０８で通信されていたデータの一部であるデータ３０２と、ネットワーク１０８で通信されていたデータの別の部分であるデータ３０４との双方が、ＯＬＴＳＵ−プロテクション２０４で通信される。データ３０２，３０４は、ソネットネットワーク１００のプロテクション経路１０４上で、ソネットネットワークインターフェース２１６を介して、ＯＬＴＳＵ−プロテクション２０４によって通信される。１つのファイバ通信経路しか使用されないので、故障動作モードではデータを送信するのにＶＣＡＴは使用されない。データ３０２，３０４は、ソネットネットワーク１００のプロテクション経路１０４上で、プロテクション経路１０４の全帯域で通信される。この故障動作モードは、通常動作モードの帯域の半分を提供することになるが、他に何らのサービスの中断を生じさせるものではない。データ３０２及びデータ３０４双方を通信するのに必要な全帯域が、プロテクション経路１０４の利用可能な帯域より大きい場合は、レート制限又は他のトラフィックフロー管理が、生じるいかなる障害をも軽減するように適用されてもよい。しかしながら、典型的には、この動作モードは、故障した通信経路が復旧するまで適切なサービスを提供する。
【００２６】
ステップ５０８では、故障した通信経路が復旧されたことが検出され、プロセスはステップ５０２に戻り、通常の動作モードに戻る。
【００２７】
当業者は、故障動作モードは、生じるかもしれない他の故障に等しく適用できることを認識するであろう。例えば、プロテクション経路１０４が故障すると、トラフィックはワーキング経路１０２を通じて通信される。同様に、ＯＬＴＳＵが故障すると、トラフィックは、機能的にＯＬＴＳＵを有する通信経路で通信される。例えば、ＯＬＴＳＵ−ワーキング２０２が故障した場合に、トラフィックは、プロテクション経路１０４上で、ＯＬＴＳＵ−プロテクション２０４により通信される。同様に、ＯＬＴＳＵ−プロテクション２０４が故障した場合に、トラフィックは、ワーキング経路１０２上で、ＯＬＴＳＵ−ワーキング２０２により通信される。
【００２８】
上述したように、データ３０２及びデータ３０４は、ネットワーク１０８で通信されるデータの異なる部分である。一実施例では、データ３０２，３０４は別個のデータトラフィックチャネルを含んでもよい。しかしながら、より柔軟性のある実施例では、データ３０２，３０４は、ネットワーク１０８で通信されるデータのどのような別個の部分を含んでもよい。そのような実施例では、ネットワーク１０８で通信されるデータを送信用に２つのデータ部分３０２，３０４に分離し、２つの部分３０２，３０４を受信時に再結合する標準的な技術を利用することが望ましい。例えば、通常動作モードにおいて、ワーキング及びプロテクション通信経路が利用可能である場合に、ネットワークフレームは、通信経路の双方で一度に１バイト送信される。この形態は、同一のファイバ通信経路上の２つのソネットチャネルを１つに結合するのに通常使用される標準的な仮想連結法である。
【００２９】
好適実施例では、分離及び再結合の機能は、仮想連結（ＶＣＡＴ）として知られる標準的な技法を用いて実行される。ＶＣＡＴはペイロード全体を個々のソネットペイロードエンベロープ（ＳＰＥ）に分解し、各ＳＰＥを別々に伝送し、伝送の末端地点でそれらを連続的な帯域に再結合する。連結のこのタイプは、経路終端器においてのみ連結機能を必要とする。本発明では、関連するデータが伝送される通信経路によらず、ワーキング経路１０２又はプロテクション経路１０４の何れかを通じてＳＰＥの各々が伝送されてもよい。
【００３０】
図６，７に、仮想連結を利用する例が示される。図６に示される例では、ＸＳＴＳ−１／ＳＴＳ−３ｃＳＰＥ（ＳＴＳ−１／３ｃ−ＸｖＳＰＥ，Ｘ＝１．．．２５６）が仮想的に連結される。標準的な一式の同期ペイロードエンベロープ（ＳＴＳ−１及びＳＴＳ−ＮｃＳＰＥ）に効率的に適合しないペイロードの伝送に、仮想連結が使用可能である。
【００３１】
図６，７に示されるように、ＳＴＳ−１／３ｃ−ＸｖＳＰＥは、ＸＳＴＳ−１／３ｃＳＰＥの連続的なペイロード領域に、Ｘ＊４８３８４／１４９７６０ｋｂｐｓのペイロード容量を与える。ペイロード容量は、ＳＴＳ−１／３ｃ−ＸｖＳＰＥを形成するＸ個のＳＴＳ−／３ｃ１ＳＰＥにマッピングされる。ＳＴＳ−１／３ｃＳＰＥの各々は、それ自身の経路オーバーヘッド（ＰＯＨ：Ｐａｔｈ  Ｏｖｅｒｈｅａｄ）を有し、ＰＯＨは、関連するオーバーヘッドデータであり、ペイロードが分離（デマルチプレクス）されるまでペイロードと共に伝送される。ＰＯＨはペイロードを伝送するのに必要な機能に使用される。Ｈ４ＰＯＨバイトは、以下に規定されるように、仮想連結特定シーケンス及びマルチフレーム指標に使用される。図６では、ＳＤＨＶＣ−３信号と相互作用しやすいように、ＳＴＳ−１ＳＰＥの列３０，５９が、固定スタッフを含む。
【００３２】
ＳＴＳ−１／３ｃ−ＸｖＳＰＥのＳＴＳ−１／３ｃＳＰＥ各々は、ネットワークを通じて個々に伝送される。ＳＴＳ−１／３ｃＳＰＥの異なる伝搬遅延に起因して、個々のＳＴＳ−１／３ｃＳＰＥ間に遅延差が生じる。このような遅延差は補償される必要があり、個々のＳＴＳ−１／３ｃＳＰＥは連続的なペイロードエリアにアクセスするように再編成される必要がある。この再編成プロセスは、少なくとも１２５μｓの遅延差をカバーする必要がある。
【００３３】
シーケンスインジケータＳＱはシーケンス／順序を示し、その順序で、ＳＴＳ−１／３ｃ−ＸｖＳＰＥのＳＴＳ−１／３ｃＳＰＥの各々が結合され、図８に示されるような連続的なＳＴＳ−１／３ｃ−ＸｃＳＰＥペイロードを形成する。ＳＴＳ−１／３ｃ−ＸｖＳＰＥのＳＴＳ−１／３ｃＳＰＥの各々は、０乃至（Ｘ−１）の範囲内で、固定された固有のシーケンス番号を有する。ＳＴＳ−１／３ｃ−ＸｃＳＰＥの第１時間スロットを伝送するＳＴＳ−１／３ｃＳＰＥはシーケンス番号０を有し、第２時間スロットを伝送するＳＴＳ−１／３ｃＳＰＥはシーケンス番号１を有し、以下同様にＳＴＳ−１／３ｃ−ＸｃＳＰＥの時間スロットＸを伝送するＳＴＳ−１／３ｃＳＰＥまで続き、それはシーケンス番号（Ｘ−１）を有する。シーケンス番号は固定的に割り当てられ、変更可能ではない。このことは、サービスプロバイダが、トレースを用いることなく、ＳＴＳ−１／３ｃ−ＸｖＳＰＥの適切な連続性を検査することを可能にする。８ビットシーケンス番号（２５６に至るまでのＸの値をサポートする。）は、図９に示されるような第１のマルチフレームステージのフレーム１４（ＳＱビット１−４）及び１５（ＳＱビット５−８）を用いて、Ｈ４バイトのビット１乃至４で伝送される。
【００３４】
以上本発明の特定の実施例が説明されてきたが、説明された実施例に等価な他の実施例が存在することは、当業者によって理解されるであろう。従って、本発明は具体的に示された実施例によっては限定されず、添付の特許請求の範囲によってのみ規定されることが意図される。
【００３５】
以下、本発明により教示される手段を例示的に列挙する。
【００３６】
（付記１）
同期光ネットワーク又は同期ディジタルハイアラーキでデータを通信し、光回線終端装置より成るデータ通信システムであって、前記光回線終端装置は：
同期光ネットワーク又は同期ディジタルハイアラーキの複数の通信経路とインターフェースをとり、及び
同期光ネットワーク又は同期ディジタルハイアラーキの複数の通信経路の各々で異なるデータを通信する
ことを特徴とするデータ通信システム。
【００３７】
（付記２）
同期光ネットワーク又は同期ディジタルハイアラーキの複数の通信経路が、ワーキング経路及びプロテクション経路より成る
ことを特徴とする付記１記載のデータ通信システム。
【００３８】
（付記３）
前記異なるデータが、仮想連結を用いて、前記ワーキング経路及び前記プロテクション経路で通信される
ことを特徴とする付記２記載のデータ通信システム。
【００３９】
（付記４）
前記光回線終端装置が、更に、
同期光ネットワーク又は同期ディジタルハイアラーキの複数の通信経路の１つの故障を検出し、及び
同期光ネットワーク又は同期ディジタルハイアラーキの良好な通信経路の各々でデータを通信する
ことを特徴とする付記１記載のデータ通信システム。
【００４０】
（付記５）
同期光ネットワーク又は同期ディジタルハイアラーキの複数の通信経路が、ワーキング経路及びプロテクション経路より成る
ことを特徴とする付記４記載のデータ通信システム。
【００４１】
（付記６）
前記データが、仮想連結を用いないで、良好な通信経路で通信される
ことを特徴とする付記４記載のデータ通信システム。
【００４２】
（付記７）
前記光回線終端装置が、更に、
同期光ネットワーク又は同期ディジタルハイアラーキの複数の通信経路の内の故障していたものが復旧したことを検出し、及び
同期光ネットワーク又は同期ディジタルハイアラーキの複数の通信経路の各々で異なるデータを通信する
ことを特徴とする付記４記載のデータ通信システム。
【００４３】
（付記８）
前記異なるデータが、仮想連結を用いて、前記ワーキング経路及び前記プロテクション経路で通信される
ことを特徴とする付記５記載のデータ通信システム。
【図面の簡単な説明】
【００４４】
【図１】本発明が実施されてもよいソネットネットワークの例示的なブロック図である。
【図２】図１に示されるＯＬＴＳＵに類似するＯＬＴＳＵの一例に関する例示的なブロック図である。
【図３】ソネットネットワークの保護帯域を利用する、図２に示されるソネットネットワーク及びＯＬＴＳＵの動作に関する例示的なデータフローである。
【図４】通信経路の障害時における、図２に示されるソネットネットワーク及びＯＬＴＳＵの動作に関する例示的なデータフローである。
【図５】本発明の動作プロセスの例示的なフローチャートである。
【図６】仮想連結ＳＴＳ−１−ＸｖＳＰＥ構造を例示する図である。
【図７】仮想連結ＳＴＳ−３ｃ−ＸｖＳＰＥ構造を例示する図である。
【図８】仮想連結ＳＴＳ−１−ＸｖＳＰＥマルチフレーム及びシーケンスインジケータを例示する図である。
【図９】仮想連結ＳＴＳ−１−ＸｖＳＰＥシーケンス及びマルチフレームインジケータＨ４コーディングを例示する図である。
【符号の説明】
【００４５】
１００  ソネットネットワーク
１０２  ワーキング経路
１０４  プロテクション経路
１０６  光回線終端サービスユニット（ＯＬＴＳＵ）
１０８  他のネットワーク
２００  ＯＬＴＳＵ
２０１  他のＯＬＴＳＵ
２０２  ＯＬＴＳＵ−ワーキング
２０４  ＯＬＴＳＵ−プロテクション
２０６  管理制御装置（ＭＣＵ）
２０８  回線装置
２１０  インターフェース
３０２，３０４  データ
【図１】
2005236960.tif 000003
【図２】
2005236960.tif 000004
【図３】
2005236960.tif 000005
【図４】
2005236960.tif 000006
【図５】
2005236960.tif 000007
【図６】
2005236960.tif 000008
【図７】
2005236960.tif 000009
【図８】
2005236960.tif 000010
【図９】
2005236960.tif 000011
【外国語明細書】
2005236960.tif 000012
2005236960.tif 000013
2005236960.tif 000014
2005236960.tif 000015
2005236960.tif 000016
2005236960.tif 000017
2005236960.tif 000018
2005236960.tif 000019
2005236960.tif 000020
2005236960.tif 000021
2005236960.tif 000022
2005236960.tif 000023
2005236960.tif 000024
2005236960.tif 000025
2005236960.tif 000026
2005236960.tif 000027
2005236960.tif 000028
2005236960.tif 000029
2005236960.tif 000030
2005236960.tif 000031
2005236960.tif 000032
2005236960.tif 000033
2005236960.tif 000034
2005236960.tif 000035
2005236960.tif 000036
2005236960.tif 000037
2005236960.tif 000038
2005236960.tif 000039
2005236960.tif 000040
2005236960.tif 000041
2005236960.tif 000042